(57)【要約】【課題】見栄え上の不具合が生じにくい配線構造、入力装置および表示装置を提供すること。【解決手段】本発明に係る配線構造は、透光性を有する基材の表面にメッシュ状の電極が配置された第１の領域と、基材の表面に電極と電気的に接続する複数の導体線が平行に配置された第２の領域とを含み、導体線は、山と谷とが交互に並んだジグザグ形状を有し、互いに隣り合う導体線は、一方の導体線と他方の導体線との間隔が、一方の導体線の山同士をつなぐ線分と谷同士をつなぐ線分との間の距離以下である。【選択図】        図５
2017146823.tif 000002
【特許請求の範囲】
【請求項１】
透光性を有する基材の表面にメッシュ状の電極が配置された第１の領域と、
前記基材の表面に前記電極と電気的に接続する複数の導体線が平行に配置された第２の領域と
を含み、
前記導体線は、山と谷とが交互に並んだジグザグ形状を有し、
互いに隣り合う前記導体線は、一方の導体線と他方の導体線との間隔が、前記一方の導体線の山同士をつなぐ線分と谷同士をつなぐ線分との間の距離以下である
ことを特徴とする配線構造。
【請求項２】
前記導体線は、折れ角が９０°以上１５０°以下である
ことを特徴とする請求項１に記載の配線構造。
【請求項３】
前記導体線は、山を挟んで隣り合う谷と谷との間の幅が３２０μｍ未満である
ことを特徴とする請求項１または２に記載の配線構造。
【請求項４】
前記第１の領域と前記第２の領域との間隔は３０μｍ以下である
ことを特徴とする請求項１〜３のいずれか１つに記載の配線構造。
【請求項５】
前記第１の領域の平面視した開口率と、前記第２の領域の平面視した開口率との差は±０．５ポイント未満である
ことを特徴とする請求項１〜４のいずれか１つに記載の配線構造。
【請求項６】
前記導体線は、７μｍ以下の線径を有する遮光性の導電材料であることを特徴とする請求項１〜５のいずれか１つに記載の配線構造。
【請求項７】
前記導体線は、３μｍ以上の線径を有する遮光性の導電材料であることを特徴とする請求項１〜６のいずれか１つに記載の配線構造。
【請求項８】
操作面に対するユーザの入力操作を検出する検出部を備え、
前記検出部は、
透光性を有する基材の表面にメッシュ状の電極が配置された第１の領域と、
前記基材の表面に前記電極と電気的に接続する複数の導体線が平行に配置された第２の領域と
を含み、
前記導体線は、山と谷とが交互に並んだジグザグ形状を有し、
互いに隣り合う前記導体線は、一方の導体線と他方の導体線との間隔が、前記一方の導体線の山同士をつなぐ線分と谷同士をつなぐ線分との間の距離以下である
ことを特徴とする入力装置。
【請求項９】
画像を表示する表示部と、
前記表示部に対向して配置され、操作面に対するユーザの入力操作を検出する検出部と
を備え、
前記検出部は、
透光性を有する基材の表面にメッシュ状の電極が配置された第１の領域と、
前記基材の表面に前記電極と電気的に接続する複数の導体線が平行に配置された第２の領域と
を含み、
前記導体線は、山と谷とが交互に並んだジグザグ形状を有し、
互いに隣り合う前記導体線は、一方の導体線と他方の導体線との間隔が、前記一方の導体線の山同士をつなぐ線分と谷同士をつなぐ線分との間の距離以下である
ことを特徴とする表示装置。
【発明の詳細な説明】
【技術分野】
【０００１】
本発明の実施形態は、配線構造、入力装置および表示装置に関する。
【背景技術】
【０００２】
従来、操作面に対するユーザの入力操作を検出する検出部を表示部に重ね合わせるように配置し、表示部の表示領域と操作面とを重畳して表示させる表示装置が知られている。
【０００３】
かかる検出部は、ユーザの入力操作を検出する電極と、当該電極からの検出信号を外部に引き出す導体線パターンとを有する配線構造が設けられた箇所を有している（たとえば、特許文献１、２参照）。
【先行技術文献】
【特許文献】
【０００４】
【特許文献１】特開２０１３−８９２３１号公報
【特許文献２】特開２０１４−２４１１３２号公報
【発明の概要】
【発明が解決しようとする課題】
【０００５】
しかしながら、従来の配線構造では、ユーザによる入力操作位置の検出精度を高めようとすると、たとえば遮光性を有する導電材料で構成された配線や、電極と導体線パターンとの区切りなどが操作面を介してユーザに視認されてしまういわゆる骨見えや、表示部を構成する液晶と導体線パターンとの干渉による干渉縞などによる見栄え上の不具合が生じやすくなる点で改善の余地があった。
【０００６】
本発明は、上記に鑑みてなされたものであって、見栄え上の不具合が生じにくい配線構造、入力装置および表示装置を提供することを目的とする。
【課題を解決するための手段】
【０００７】
上記課題を解決し、目的を達成するために、本発明は、配線構造において、透光性を有する基材の表面にメッシュ状の電極が配置された第１の領域と、前記基材の表面に前記電極と電気的に接続する複数の導体線が平行に配置された第２の領域とを含み、前記導体線は、山と谷とが交互に並んだジグザグ形状を有し、互いに隣り合う前記導体線は、一方の導体線と他方の導体線との間隔が、前記一方の導体線の山同士をつなぐ線分と谷同士をつなぐ線分との間の距離以下であることを特徴とする。
【発明の効果】
【０００８】
本発明によれば、見栄え上の不具合が生じにくい配線構造、入力装置および表示装置を提供することができる。
【図面の簡単な説明】
【０００９】
【図１】図１は、実施形態に係る表示装置を示す分解斜視図である。
【図２】図２は、実施形態に係る配線構造を示す説明図である。
【図３】図３は、静電容量方式の表示装置に設けられる電極の一例を示す説明図である。
【図４】図４は、導体線の形状および配置について説明する図である。
【図５】図５は、隣り合う導体線の配置について説明する図である。
【図６】図６は、電極のメッシュ形状について説明する図である。
【図７】図７は、導体線の配置例について説明する図である。
【図８】図８は、導体線の配置例について説明する図である。
【図９】図９は、第１の領域と第２の領域との間隔について説明する図である。
【発明を実施するための形態】
【００１０】
以下に、本発明に係る配線構造、入力装置および表示装置の実施形態を図面に基づいて詳細に説明する。なお、以下に示す実施形態によりこの発明が限定されるものではない。
【００１１】
以下では、実施形態に係る配線構造を表示装置に適用した場合を例に挙げて説明するが、実施形態に係る配線構造は、表示装置以外にも適用することができる。
【００１２】
実施形態に係る配線構造は、たとえば車両の窓ガラスなどに設けられるアンテナのように、光透過性（以下、「透光性」とも記載する）を有する基材の表面に設けられるものであれば用途に制限はなく、任意の電子部品に適用することができる。
【００１３】
図１は、実施形態に係る表示装置１を示す分解斜視図である。表示装置１は、たとえば、カーナビゲーション装置、スマートフォン、タブレット型端末装置等の電子機器に搭載されて画像を表示し、ユーザが操作面を入力操作した場合に、入力操作に応じた処理を搭載機器に実行させる表示操作装置として機能する。
【００１４】
図１に示すように、表示装置１は、表示部１１、検出部１２および透明基板１４が互いに対向するように配置され、順次積層された構成を有している。また、表示装置１のうち表示部１１を除く部分は、入力装置１０として取り扱われることがある。すなわち、入力装置１０は、検出部１２および透明基板１４を含む。
【００１５】
表示部１１は、たとえばＴＦＴ（thin  film  transistor）で構成される液晶ディスプレイを含み、動画、静止画、およびテキスト文書等といった任意の画像を表示する。透明基板１４は、たとえば、ガラスやアクリル等の透光性を有する板体であり、たとえばその表面が表示装置１の操作面１５を構成する。
【００１６】
検出部１２は、たとえば、銀線等の導体線により所定の形状に配置された配線構造を含む。かかる配線構造は、たとえば、操作面１５に対するユーザの入力操作位置を検出するための電極等として機能する。ここで、図２を参照し、実施形態に係る配線構造について説明する。
【００１７】
図２は、本発明の実施形態に係る配線構造１３を示す説明図である。なお、説明を分かりやすくするために、図２には、鉛直上向きを正方向とし、鉛直下向きを負方向とするＺ軸を含む３次元の直交座標系を図示している。かかる直交座標系は、後述の説明に用いる他の図面でも示す場合がある。また、以下の説明において、Ｚ軸方向を「上下」または「上下方向」、Ｙ軸方向を「左右」または「左右方向」という場合がある。
【００１８】
実施形態に係る配線構造１３は、透光性を有するシート状または板状の基材２０の表面にメッシュ状の電極２１が配置された第１の領域Ｒ１と、基材２０の表面に電極２１と電気的に接続する複数の導体線２４が平行に配置された第２の領域Ｒ２とを含む。かかる配線構造１３は、静電容量方式によってユーザによる入力操作位置を検出する検出部１２を構成する。
【００１９】
電極２１および導体線２４は、たとえば、銀や銅、アルミニウムなどの線径が３μｍ以上７μｍ以下の遮光性の導電材料で構成される。導電材料の線径が７μｍを超えると、たとえば配線構造１３が直接または間接的にユーザに視認されてしまい、見栄え上の不具合につながるおそれがある。また、導電材料の線径が３μｍ未満だと、用途によっては耐久性の面で懸念がある。ここで「線径」とは電極２１および導体線２４を構成する導電材料をＸ軸方向から見た幅をいう。また、電極２１および導体線２４の線径はそれぞれ異なっていてもよいが、好ましくは互いに同程度に形成される。また、電極２１および導体線２４の製造方法としては、たとえば、スクリーン印刷やインクジェット法その他の印刷、フォトリソグラフィ、メッキなど、導電材料に応じた適切な方法を用いることができる。特に印刷工程を含む製造により電極２１および導体線２４を作製すると、製造コストが抑えられるため好ましい。ここで、図３を参照し、静電容量方式の表示装置がユーザによる入力操作位置を検出する原理とともに第１の領域Ｒ１について説明する。
【００２０】
図３は、静電容量方式の表示装置に設けられる配線構造の一例を示す説明図である。図３に示す配線構造は、メッシュ状に配置された導体線１０１により形成された電極１００を含む。この電極１００は、第１の領域Ｒ１の一部分を模式的に示したものに相当する。
【００２１】
かかる電極１００には、境界線でメッシュ構造が切断されたように形成される２つの部分領域が設けられる。具体的には、電極１００は、境界線１０５で囲まれた、駆動電極として機能する部分領域（以下、「駆動電極」と記載する）１０２と、境界線１０６で囲まれた、受動電極として機能する部分領域（以下、「受動電極」と記載する）１０３とを含む。
【００２２】
図３に示す例では、駆動電極１０２および受動電極１０３は、いずれも外縁が櫛形となり、互いの櫛歯の部分が平面視交互に配置されるように、メッシュ状の導体線１０１が切断された状態となっている。
【００２３】
そして静電容量方式の表示装置では、電極１００を含む配線構造が表示部と透明基板との間に挟設され、受動電極がグランドに接地され、駆動電極にパルスが入力される。これにより、駆動電極と受動電極とによってキャパシタが形成され、キャパシタに電荷が蓄積されて駆動電極と受動電極との間に電界が発生する。
【００２４】
そして、静電容量方式の表示装置では、たとえば、ユーザの指が透明基板における受動電極の櫛歯上に対応する位置に接触または近接すると、駆動電極と指との間にも電界が発生し、駆動電極と受動電極との間の電界が減少する。これに伴ってキャパシタに蓄積される電荷量が減少する。
【００２５】
このため、静電容量方式の表示装置は、電極１００によって形成される複数のキャパシタに蓄積される各電荷量を監視し、電荷量が減少したキャパシタの位置をユーザによって入力された入力操作位置として検出することができる。
【００２６】
なお、図３に示す駆動電極１０２の境界線１０５と受動電極１０３の境界線１０６との間には、駆動電極１０２および受動電極１０３の双方と電気的に接続されていないメッシュ状の配線（以下「ダミー電極」と記載する）１０４が設けられる。かかるダミー電極１０４は、入力操作位置の検出には寄与しないが、操作面１５を介して見たときに、たとえば電極１００を構成する駆動電極１０２や受動電極１０３の配置などがユーザに視認されにくくなるため好ましい。
【００２７】
また、かかる静電容量方式の表示装置は、単位面積当たりにより多くの駆動電極および受動電極が配置されるほど、入力操作位置の検出精度が向上する。この点について、図２に戻りさらに説明する。
【００２８】
図２に示す第１の領域Ｒ１には、上下方向、すなわち基材２０の短手方向に延びるように配置された１つの受動電極２２に対し、複数（図２では、７つ）の駆動電極２３が対応するように配置された電極２１が設けられている。また、基材２０の左右方向の両端部を除き、受動電極２２Ｒ，２２Ｌを挟んで複数の駆動電極２３Ｒ，２３Ｌを互いに対称に配置させることにより、第１の領域Ｒ１には２つの電極２１Ｒ，２１Ｌが並べて配置されている。すなわち、図２に示す配線構造１３では、図３に示す構成の電極１００を上下、左右に複数並べた構成と比較して配置されるキャパシタの総数を増やすことができ、検出精度を向上させることができる。なお、第１の領域Ｒ１の配列や電極２１（受動電極２２、駆動電極２３）の形状および配列は、図２に示したものに限らず、要求される検出精度や基材２０のサイズ等に応じて変更してよい。
【００２９】
次に、第２の領域Ｒ２について説明する。第２の領域Ｒ２には、基材２０の表面に駆動電極２３のそれぞれと電気的に接続する導体線２４が互いに平行に配置されている。導体線２４は、駆動電極２３から斜め下方に引き出された第１部分２５と、第１部分２５から上下方向に沿って延びるように折り曲げられた第２部分２６とを含む。以下では、導体線２４の形状および配置について図４、図５を用いてさらに説明する。
【００３０】
図４は、導体線２４の形状および配置について説明する図であり、図５は、隣り合う導体線２４の配置について説明する図である。以下、説明を容易にするために、隣り合う２つの導体線２４のうち、第２部分２６の形状および配置について説明する。
【００３１】
図４に示すように、第２部分２６Ｌは、山と谷とが交互に並んだジグザグ形状を有している。以下、左側に凸となる第２部分２６Ｌを「山」、右側に凸となる第２部分２６Ｌを「谷」と規定する。また、一方の導体線２４の第２部分２６Ｌと他方の導体線２４の第２部分２６Ｒとの間隔をＡと規定し、一方の導体線２４の第２部分２６Ｌの山Ｍ１，Ｍ２，Ｍ３をそれぞれつなぐ線分Ｌ１と導体線２４の第２部分２６Ｌの谷Ｖ１，Ｖ２，Ｖ３，Ｖ４をそれぞれつなぐ線分Ｌ２との間の距離をＢと規定する。
【００３２】
このとき、図４、図５に示すように導体線２４の第２部分２６がジグザグ形状を有することにより、上下方向に直線状に伸びる第２部分２６を有する導体線を配置した場合と比較して、たとえば電極２１を構成する受動電極２２や駆動電極２３と第２部分２６との形状の差異が小さくなり、操作面１５から見たときに配線構造１３が直接的または間接的にユーザに視認されてしまう現象（骨見え）が発生しにくくなる。
【００３３】
ただし、図４に示すように間隔Ａが間隔Ｂよりも大きいと、第２の領域Ｒ２の占有面積が大きくなり、配線構造１３全体としての体格が大きくなる傾向があるため、配線構造１３を小型化する際に制約となることがあった。これに対し、図５に示すように間隔Ａと距離Ｂとを等しくする（（ａ）参照）、あるいは間隔Ａを距離Ｂ未満にする（（ｂ）参照）、すなわち間隔Ａを距離Ｂ以下とすることにより、第２の領域Ｒ２の占有面積が小さくなり、配線構造１３を小型化することができる。また、かかる配線構造１３を検出部１２に適用した表示装置１では、入力操作位置の検出に寄与しない第２の領域Ｒ２に対して第１の領域Ｒ１の占有率が相対的に高くなり、入力操作位置の検出精度が向上する。
【００３４】
また、導体線２４（第２部分２６Ｌ）は、好ましくは折れ角θ１が９０°以上１５０°以下である。このように導体線２４の折れ角θ１を規定して、第２の領域Ｒ２の幅Ｗ（図２参照）を狭くすることで、入力操作位置の検出に寄与しない領域を狭くすることができ、適切な検出精度を維持することができる。また、かかる配線構造１３を検出部１２に適用した表示装置１では、導体線２４がＹ軸方向およびＺ軸方向に対して斜めに配置されることにより、たとえばＹ軸方向またはＺ軸方向に沿って配列される液晶と導体線２４との干渉による干渉縞の発生を抑制することができる。なお、折れ角θ１の具体例として、θ１＝１０４°を挙げることができるが、たとえば配線構造１３の大きさ、要求される検出精度や透過率、電極２１を構成するメッシュ形状に応じて適切に設定されることはいうまでもない。以下では、電極２１を構成するメッシュ形状について図６を用いて説明する。
【００３５】
図６は、電極２１のメッシュ形状について説明する部分拡大図である。ここでは、駆動電極２３を例に挙げて説明するが、受動電極２２についても同形状とすることができる。図６に示すように、辺Ｃと辺Ｄとのなす角θ２は好ましくは９０°以上１５０°以下である。このように角θ２を規定することにより、上記した導体線２４のジグザグ形状と電極２１のメッシュ形状との差異を判別しにくくすることで骨見えの発生を抑制することができる。また、辺Ｃおよび辺ＤがＹ軸方向およびＺ軸方向に対して斜めに配置されることにより、たとえばＹ軸方向またはＺ軸方向に沿って配列される液晶と電極２１との干渉による干渉縞の発生を抑制することができる。
【００３６】
また、辺Ｃの長さ（＝辺Ｄの長さ）Ｓは、導体線２４（第２部分２６Ｌ）の山Ｍ１と谷Ｖ１との長さＧと同じとすることが好ましい。なお、長さＳ（＝長さＧ）の具体例として、Ｓ＝２００μｍを挙げることができるが、たとえば配線構造１３の大きさ、要求される検出精度や透過率等に応じて適切に設定されることはいうまでもない。
【００３７】
図４に戻り、導体線２４（第２部分２６Ｌ）は、山Ｍ２を挟んで隣り合う谷Ｖ２と谷Ｖ３との間の幅Ｐが好ましくは３２０μｍ未満である。このように幅Ｐを規定することにより、上記した電極２１のメッシュ形状と導体線２４のジグザグ形状との差異を判別しにくくすることで骨見えの発生を抑制することができる。
【００３８】
さらに、導体線２４の第１部分２５についても、適切に配置させることにより、骨見えや干渉縞の発生を抑制することができる。この点について、図７を用いて説明する。
【００３９】
図７は、電極２１に接続された導体線２４の配置例について説明する部分拡大図である。ここでは、駆動電極２３（図２参照）から引き出された導体線２４ａ〜２４ｄのうち、導体線２４ｂを例に挙げて説明する。図７に示すように、導体線２４ｂの第１部分２５は、駆動電極２３の端部と電気的に接続される。具体的には、駆動電極２３の右端部を構成する導体線１０１（図３参照）のうち、第２の領域Ｒ２側に突出した地点２３２と、地点２３２を起点として左下方に配置された地点２３１とをつなぐ配線である辺Ｃ（図６参照）を規定したとき、地点２３１と地点２３２との中間部分に駆動電極２３と導体線２４ｂとの接続部２４１を有する。
【００４０】
導体線２４ｂの第１部分２５は、まず、図６で示した駆動電極２３の辺Ｄと平行になるように接続部２４１から右下方向に引き出され、次いで、辺Ｃと平行になるように左下方向に折り返される。導体線２４ｂは、第２部分２６との切替部分までこれらを１回または複数回繰り返すように配置されることで第１の領域Ｒ１（図２参照）から徐々に離間するようにジグザグに引き出される。このように導体線２４を配置させることにより、上記した電極２１のメッシュ形状と導体線２４のジグザグ形状との差異の判別がしにくくなることで骨見えの発生を抑制することができる。また、かかる配線構造１３を検出部１２に適用した表示装置１では、導体線２４の第１部分２５がＹ軸方向およびＺ軸方向に対して斜めに配置されることにより、たとえばＹ軸方向またはＺ軸方向に沿って配列される液晶と導体線２４の第１部分２５との干渉による干渉縞の発生を抑制することができる。
【００４１】
また、必要に応じて導体線２４と電気的に接続されていないジグザグ状の配線ＤＷ（以下「ダミー配線」と記載する）が設けられる。かかるダミー配線ＤＷは、導体線２４ｂの第２部分２６と並行に、かつ隣り合うダミー配線ＤＷまたは導体線２４ｂの第２部分２６との間隔が同じになるように配置されると、たとえば第２の領域Ｒ２における導体線２４の隙間や電極２１のメッシュ形状との差異に伴う骨見えがさらに生じにくくなるため好ましい。なお、図７に示す駆動電極２３はダミー電極１０４（図３参照）も含むが、理解を容易にするために図示していない。また、図７では、駆動電極２３と導体線２４ｂとの接続部２４１は地点２３１と地点２３２との中間部分に設けたが、これに限らない。この点について、図８を用いて説明する。
【００４２】
図８は、図７に示す導体線２４の配置の変形例について説明する部分拡大図である。図８に示す導体線２４ｅの第１部分２５は、駆動電極２３のうち、第２の領域Ｒ２側に突出した地点２３２に駆動電極２３と導体線２４ｅとの接続部２４２を有している点で図７に示す導体線２４ａ〜２４ｄと相違する。すなわち、導体線２４の接続部は、駆動電極２３の端部であればいかなる箇所であってもよく、たとえば駆動電極２３の形状や配置、導体線２４の形状、配置、本数等に応じた適切な箇所としてよい。また、１つの駆動電極２３から引き出される導体線２４は１本に限らず、２本以上であってもよい。ただし、検出精度や開口率の低下につながることがあるため、好ましくは１本または２本とされる。なお、図８では導体線２４ｅの第２部分２６や他の導体線２４、ダミー配線ＤＷ等の図示は省略した。
【００４３】
次に、第１の領域Ｒ１と第２の領域Ｒ２との配置について図９を用いて説明する。図９は、第１の領域Ｒ１と第２の領域Ｒ２との間隔について説明する部分拡大図である。図９に示すように、第１の領域Ｒ１の端部をつなぐ境界線Ｅ１と第２の領域Ｒ２の端部をつなぐ境界線Ｅ２との間隔Ｆは好ましくは３０μｍ以下であり、より好ましくは０以下である。このように第１の領域Ｒ１と第２の領域Ｒ２とを近接させることにより、上記した導体線２４のジグザグ形状と電極２１のメッシュ形状との境目の判別がしにくくなることで骨見えが生じにくくなる。
【００４４】
また、第１の領域Ｒ１の平面視した開口率と、第２の領域Ｒ２の平面視した開口率との差は好ましくは±０．５ポイント未満である。ここで、第１の領域Ｒ１の平面視した開口率とは、第１の領域Ｒ１全体の平面視した面積から電極２１およびダミー電極が占める平面視した面積を減算し、これを第１の領域Ｒ１全体の平面視した面積で除した値を％表記したものである。同様に、第２の領域Ｒ２の平面視した開口率とは、第２の領域Ｒ２全体の平面視した面積から導体線２４およびダミー配線が占める平面視した面積を減算し、これを第２の領域Ｒ２全体の平面視した面積で除した値を％表記したものである。たとえば、第１の領域Ｒ１の平面視した開口率が８６．０％である場合、第２の領域Ｒ２の平面視した開口率は好ましくは８５．５％超８６．５％未満ということになる。このように第１の領域Ｒ１および第２の領域Ｒ２の開口率をそれぞれ制御することにより、第１の領域Ｒ１と第２の領域Ｒ２との間の透過率の差に伴う骨見えの発生を抑制することができる。なお、第１の領域Ｒ１および第２の領域Ｒ２の具体的な開口率は、基材２０を含む配線構造１３として要求される透過率（たとえば、８５％以上）に基づいて設定される。
【００４５】
上記した実施形態では、導体線２４の好ましい間隔Ａ、幅Ｐおよび折れ角θ１（いずれも図４参照）について説明したが、第２の領域Ｒ２に配置させるべき導体線２４の本数に応じて、これらのうち少なくとも一つを変えるようにしてもよい。具体的には、たとえば第２の領域Ｒ２として取りうる面積に対して導体線２４の本数が比較的少ないとき（たとえば、要求される位置検出性能が低い場合）は、たとえば間隔Ａ、折れ角θ１を小さく（ただし電極２１のメッシュ形状と一致することが好ましい）、間隔Ａを距離Ｂと一致させるとよい（図５（ａ）参照）。また、導体線２４の本数が比較的多いとき（たとえば、要求される位置検出性能が高い場合）は、間隔Ａ、折れ角θ１を大きく、間隔Ａを距離Ｂ未満とするとよい（図５（ｂ）参照）。これにより、たとえば導体線２４の本数が変わっても第２の領域Ｒ２の占有面積（または幅Ｗ（図２参照））を変えずに要求される検出精度を維持することができる。ただし、間隔Ａや折れ角θ１を変えると電極２１のメッシュ形状との形状の違いから骨見えが起きる可能性があることから、実用上、骨見えが目立たない程度の違いにとどめることが望ましい。
【００４６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００４７】
１  表示装置
１０  入力装置
１１  表示部
１２  検出部
１３  配線構造
１４  透明基板
１５  操作面
２０  基材
２１  電極
２４  導体線
【図１】
2017146823.tif 000003
【図２】
2017146823.tif 000004
【図３】
2017146823.tif 000005
【図４】
2017146823.tif 000006
【図５】
2017146823.tif 000007
【図６】
2017146823.tif 000008
【図７】
2017146823.tif 000009
【図８】
2017146823.tif 000010
【図９】
2017146823.tif 000011